(57)【要約】【課題】コンプレッサの間欠動作におけるオフ動作時の負担を低減でき且つより確実に省電力化を図れる電力制御装置を提供する。【解決手段】電力制御装置１は、冷凍機（温度制御対象）のコンプレッサへの電力供給を遮断する遮断部Ｒｙと、遮断部Ｒｙが開閉動作するタイミングを制御するタイミング制御手段１２aと、タイミング制御手段１２ａが規定の遮断周期で規定の遮断時間だけコンプレッサへの電力供給を遮断し且つコンプレッサがオン動作してから規定の遅延時間を経過するまでコンプレッサへの電力供給を遮断しないようにタイミング制御手段１２ａに指示する強制遮断指示手段１２ｃとを備える。前記遮断周期を設定するためのボリュームからなる遮断周期設定部８を備え、遮断周期を少なくとも３段階に設定できる。【選択図】図１
2010116867.tif 000002
【特許請求の範囲】
【請求項１】
コンプレッサとコンプレッサをオン・オフ動作させることにより温度制御対象の温度が所定の温度範囲内に維持されるように制御する温度制御部とを備える電気機器についてコンプレッサを間欠動作させることによりコンプレッサの消費電力を低減するための電力制御装置であって、コンプレッサへの電力供給を強制的に遮断する遮断部と、遮断部に開閉動作をさせることによりコンプレッサをオン・オフ動作させるコンプレッサ制御部と、コンプレッサの運転状態を監視するコンプレッサ運転状態監視部と、コンプレッサ制御部が遮断部を開閉動作させるタイミングを制御するタイミング制御手段と、コンプレッサ運転状態監視部からの出力に基づいてコンプレッサがオン動作した後の経過時間を計時する経過時間計時手段と、タイミング制御手段が規定の遮断周期で規定の遮断時間だけ遮断部によりコンプレッサへの電力供給を遮断することでコンプレッサを間欠的に動作させるようにタイミング制御手段に指示する強制遮断指示手段と、前記遮断周期を設定する遮断周期設定部と、前記遮断時間を設定する遮断時間設定部と、コンプレッサがオン動作してから遮断部が動作するまでの遅延時間を設定する遅延時間設定部とを備え、強制遮断指示手段がコンプレッサがオン動作してから遅延時間を経過するまで遮断部によりコンプレッサへの電力供給を遮断しないようにタイミング制御手段に指示するとともに、遮断周期設定部、遮断時間設定部および遅延時間設定部それぞれがボリュームで構成され遮断周期、遮断時間および遅延時間それぞれを少なくとも３段階に設定可能であることを特徴とする電力制御装置。
【発明の詳細な説明】
【技術分野】
【０００１】
本発明は、電力制御装置に関するものである。
【背景技術】
【０００２】
従来から、冷凍機や空調機として、気体の冷媒を圧縮するためのコンプレッサを備えた蒸気圧縮式の冷凍機や蒸気圧縮式の空調機がある。ここに、蒸気圧縮式の冷凍機や蒸気圧縮式の空調機には、温度制御対象である冷凍機や部屋等の温度を検出する温度検出部と、温度検出部の出力に基づいてコンプレッサにオン・オフ動作をさせて冷凍機や部屋等の温度を所定の温度範囲内に維持するように制御する温度制御部を備えるものがある。
【０００３】
ここで、大型の蒸気圧縮式の冷凍機や空調機では、内蔵されているコンプレッサの電力使用量が大きく、契約電力量が大きい。そこで、このような大型の蒸気圧縮式の冷凍機や空調機では、省電力化による契約電力量の削減を図るために、温度制御部による制御とは無関係に電力制御装置によってコンプレッサを間欠的に動作させることにより、コンプレッサの動作時間を短くすることがなされることがある。
【０００４】
ところが、このような冷凍機や空調機などでは、電力制御装置によるコンプレッサの制御が温度制御部による制御とは無関係に行われるので、温度制御部の制御に基づいてコンプレッサがオン動作した直後に、電力制御装置の制御に基づいてコンプレッサが強制的に停止されることがあった。すると、コンプレッサへの短時間内での繰り返し始動に伴う負担がかかり、コンプレッサが短寿命化するおそれがあった。
【０００５】
これに対して、従来から、冷凍機や空調機などの内部に設けられたコンプレッサがオン動作した直後に、コンプレッサが強制的に停止されるのを回避するために、コンプレッサのオン動作後において一定時間（遅延時間）が経過するまではコンプレッサを停止させないように制御する電力制御装置が提案されている（特許文献１参照）。
【０００６】
特許文献１に記載された電力制御装置は、交流電源からの出力を直流に変換して出力する電源部と、コンプレッサの運転状態を監視するためにコンプレッサに供給される電流を検出する電流検出部と、コンプレッサの運転状態を表示するコンプレッサ運転状態表示部と、省電力化のためにコンプレッサを間欠動作させるか否かを設定するコンプレッサ間欠動作設定部と、コンプレッサを間欠動作させている状態にあるか否かを表示するコンプレッサ間欠動作表示部と、コンプレッサへの電力供給を強制的に遮断することでコンプレッサを停止させる遮断部と、遮断部を動作させるコンプレッサ制御部と、電源部、電流検出部、コンプレッサ運転状態表示部、コンプレッサ間欠動作設定部、コンプレッサ間欠動作表示部およびコンプレッサ制御部それぞれが接続された中央演算部とを備え、中央演算部とコンピュータ等の遠隔制御手段との間でデータ通信を行うための通信部と、通信部から得たデータを保存するためのフラッシュメモリからなる記憶部とを有する。
【０００７】
中央演算部は、マイクロコンピュータ等からなり、当該マイクロコンピュータに搭載された適宜のプログラムによって、遮断部が動作するタイミングを制御するタイミング制御手段が構成されている。タイミング制御手段は、遮断部を所定の周期で所定の時間だけ動作させることでコンプレッサを間欠動作させるとともに、電流検出部からの出力に基づいてコンプレッサがオン動作してから遅延時間を経過するまで遮断部が動作しないようにする。
【０００８】
ところで、特許文献１に記載された電力制御装置では、遮断部によりコンプレッサへの電力供給を遮断する周期（遮断周期）および遮断部によりコンプレッサへの電力供給を遮断した状態を維持する時間（遮断時間）と、コンプレッサがオン動作してから遮断部を動作させるまでの時間（遅延時間）の設定を、通信部に接続されたコンピュータ等の遠隔制御部により行う。従って、電力制御装置とは別に、コンピュータ等を設ける必要があるため電力制御装置およびコンピュータを含むシステム全体のコストが増加していた。
【０００９】
これに対して、従来から、遮断周期を電力制御装置に設けられたディップスイッチで設定し、遮断時間を複数の設定値に切り替え可能なスイッチで設定し、遅延時間を可変抵抗からなるボリュームで設定する電力制御装置が提案されている（特許文献２参照）。ここにおいて、第１のボリュームは、遮断時間の遮断周期に対する比率を設定する。また、遮断周期は、ディップスイッチによって３０分間と１５分間の２段階に切り替えることができる。従って、冷凍機の温度制御部による制御に基づいてコンプレッサがオン動作してからオフ動作するまでの時間が例えば２０分間であれば、前記遮断周期を３０分間の設定から１５分間の設定に切り替えることによって省電力化の効果が得られるようにすることができる。
【特許文献１】特許第３２９０６４４号公報
【特許文献２】特許第３０３７９３９号公報
【発明の開示】
【発明が解決しようとする課題】
【００１０】
ところで、電力制御装置を冷凍機に使用する場合、冷凍機の内部の熱容量が変わると、温度制御部による制御に基づいてコンプレッサがオン動作してからオフ動作するまでの時間が変化することがある。また、電力制御装置を空調機に使用する場合には、空調機の使用環境によって、温度制御部による制御に基づいてコンプレッサがオン動作してからオフ動作するまでの時間が変化することがある。かかる場合、温度制御部による制御に基づいてコンプレッサがオン動作してからオフ動作するまでの時間の変化に対応して、省電力化の効果が得られるように前記遮断周期を切り替える必要がある場合がある。
【００１１】
しかしながら、特許文献２に記載の電力制御装置では、遮断周期を２段階にしか変更することができず、冷凍機の内部の熱容量や空調機の使用環境に応じて省電力化の効果が得られないことがあった。
【００１２】
本願発明は、前記事由に鑑みて為されたものであり、その目的は、コンプレッサの間欠動作におけるオフ動作時の負担を低減でき且つより確実に省電力化を図れる電力制御装置を提供することにある。
【課題を解決するための手段】
【００１３】
請求項１の発明は、コンプレッサとコンプレッサをオン・オフ動作させることにより温度制御対象の温度が所定の温度範囲内に維持されるように制御する温度制御部とを備える電気機器についてコンプレッサを間欠動作させることによりコンプレッサの消費電力を低減するための電力制御装置であって、コンプレッサへの電力供給を強制的に遮断する遮断部と、遮断部に開閉動作をさせることによりコンプレッサをオン・オフ動作させるコンプレッサ制御部と、コンプレッサの運転状態を監視するコンプレッサ運転状態監視部と、コンプレッサ制御部が遮断部を開閉動作させるタイミングを制御するタイミング制御手段と、コンプレッサ運転状態監視部からの出力に基づいてコンプレッサがオン動作した後の経過時間を計時する経過時間計時手段と、タイミング制御手段が規定の遮断周期で規定の遮断時間だけ遮断部によりコンプレッサへの電力供給を遮断することでコンプレッサを間欠的に動作させるようにタイミング制御手段に指示する強制遮断指示手段と、前記遮断周期を設定する遮断周期設定部と、前記遮断時間を設定する遮断時間設定部と、コンプレッサがオン動作してから遮断部が動作するまでの遅延時間を設定する遅延時間設定部とを備え、強制遮断指示手段がコンプレッサがオン動作してから遅延時間を経過するまで遮断部によりコンプレッサへの電力供給を遮断しないようにタイミング制御手段に指示するとともに、遮断周期設定部、遮断時間設定部および遅延時間設定部それぞれがボリュームで構成され遮断周期、遮断時間および遅延時間それぞれを少なくとも３段階に設定可能であることを特徴とする。
【００１４】
この発明によれば、強制遮断指示手段が、コンプレッサのオン動作後、遅延時間を経過するまで遮断部によりコンプレッサへの電力供給を遮断しないようにタイミング制御手段に指示するので、コンプレッサの停止時における負担を軽減でき、且つ遮断部がコンプレッサへの電力供給を遮断する遮断周期、遮断部がコンプレッサへの電力供給を遮断した状態を維持する遮断時間およびコンプレッサがオン動作してから遮断部が動作するまでの遅延時間の設定を、ボリュームからなる遮断周期設定部、遮断時間設定部および遅延時間設定部それぞれを操作することにより簡単に行うことができるとともに、遮断周期を少なくとも３段階に設定することができ、遮断周期をよりきめ細かく設定することが可能となるので、より確実に省電力化を図ることができる。
【発明の効果】
【００１５】
請求項１の発明によれば、コンプレッサがオン動作してから遅延時間を経過するまで遮断部によりコンプレッサへの電力供給を遮断しないようにするので、コンプレッサの停止時における負担を軽減できるとともに、遮断周期、遮断時間および遅延時間の設定をボリュームの操作により行うことができるので、操作が簡単であるとともに、遮断周期を少なくとも３段階に設定することができ、遮断周期をよりきめ細かく設定することが可能となるので、より確実に省電力化を図ることができる。
【発明を実施するための最良の形態】
【００１６】
以下、実施形態について図１および図２に基づいて説明する。
【００１７】
実施形態の電力制御装置１は、気体の冷媒を圧縮するためのコンプレッサＭＣを備え、三相交流電源（図示せず）からの電力供給を受けてコンプレッサＭＣを駆動させる温度制御対象である蒸気圧縮式の冷凍機２に２線式の信号線Ｌ１を介して接続されている。ここに、電力制御装置１は、三相交流電源からコンプレッサＭＣへ供給される電力を制御している。
【００１８】
冷凍機２には、当該冷凍機２に電力を供給する三相交流電源に接続するための３つの第１の電源接続用端子Ｒ２，Ｓ２，Ｔ２が設けられており、３つの第１の電源接続用端子Ｒ２，Ｓ２，Ｔ２それぞれは、電線Ｌ２を介して三相交流電源の３つの端子Ｒ，Ｓ，Ｔそれぞれに接続されている。また、コンプレッサＭＣと３つの第１の電源接続用端子Ｒ２，Ｓ２，Ｔ２とは３本の電線Ｌ３を介して接続されている。また、冷凍機２は、冷凍機２の内部の温度を検出するための温度検出部（図示せず）と、冷凍機２の温度を所定の温度範囲内に維持するように制御する温度制御部（図示せず）とを備え、前記温度制御部は、前記温度検出器の出力に基づいてコンプレッサＭＣをオン・オフ動作させる。
【００１９】
また、冷凍機２の内部には、三相交流電源とコンプレッサＭＣとを電気的に遮断することによりコンプレッサＭＣの動作を停止させる遮断部Ｒｙと、電線Ｌ３を介してコンプレッサＭＣに供給される電流の電流値を検出してコンプレッサＭＣの運転状態を監視するコンプレッサ運転状態監視部である電流検出器Ｓｅとが設けられている。
【００２０】
ここで、遮断部Ｒｙは、３つのリレー接点Ｒｙ１と各リレー接点Ｒｙ１を開閉させるための電磁石から構成された電磁部Ｒｙ２とからなるリレーであって、３つのリレー接点Ｒｙ１それぞれが３本の電線Ｌ３それぞれの途中に設けられている。ここで、遮断部Ｒｙと電流検出器Ｓｅとは、電源制御装置１の一部を構成している。なお、冷凍機２には、出力電圧が１００Ｖの交流電源ＡＣに接続される２つの第２の電源接続用端子ＣＲ１，ＣＴ１が設けられ、第２の電源接続用端子ＣＲ１，ＣＴ１を介して例えば、冷凍機２の照明器具等に電力が供給される。
【００２１】
電力制御装置１は、電流検出器Ｓｅと、遮断部Ｒｙと、電流検出器Ｓｅからの出力に基づいて遮断部Ｒｙを動作させる本体部１ａとで構成されている。ここで、本体部１ａには、２つの電源接続用端子ＰＲ１，ＰＴ１が設けられ、交流電源ＡＣから２つの電源接続用端子ＰＲ１，ＰＲ２を介して本体部１ａに電力が供給される。
【００２２】
なお、第２の電源接続用端子ＣＲ１，ＣＴ１および第３の電源接続用端子ＰＲ１，ＰＴ１は、交流電源ＡＣの両端間に接続されるとともに、三相交流電源の第１相の端子Ｒおよび第１相とは位相が１２０°ずれた第３相の端子Ｔそれぞれと冷凍機２の第１の電源接続用端子Ｒ２，Ｔ２それぞれとを接続する２本の電線Ｌ２，Ｌ２に降圧用のトランスＭを介して接続されている。
【００２３】
本体部１ａは、図１（ａ）に示すように、交流電源ＡＣの出力を直流に変換して出力する電源部３と、コンプレッサＭＣの運転状態を表示するコンプレッサ運転状態表示部５と、電力制御装置１によってコンプレッサＭＣを間欠的に動作（間欠動作）させるか否かを設定するコンプレッサ間欠動作設定部６と、電力制御装置１がコンプレッサＭＣを間欠動作させている状態にあるか否かを表示するコンプレッサ間欠動作表示部７と、遮断部Ｒｙに開閉動作をさせることによりコンプレッサＭＣにオン・オフ動作をさせるコンプレッサ制御部１１と、電源部３から電力供給を受けてコンプレッサ運転状態表示部５、コンプレッサ間欠動作表示部７およびコンプレッサ制御部１１を制御する中央演算部１２を備える。また、中央演算部１２には、コンプレッサ間欠動作設定部６が接続されており、コンプレッサ間欠動作設定部６により電力制御装置１によってコンプレッサＭＣを間欠動作させるか否かを設定できる。
【００２４】
コンプレッサ制御部１１は、遮断部Ｒｙの電磁部Ｒｙ２に電流を出力することにより、リレー接点Ｒｙ１を開状態にすることでコンプレッサＭＣに強制的にオフ動作させる。また、遮断部Ｒｙの電磁部Ｒｙ２への電流の出力を停止することにより、リレー接点Ｒｙ１を閉状態にすることでコンプレッサＭＣにオン動作させる。
【００２５】
コンプレッサ運転状態表示部５は、緑色ＬＥＤで構成され、コンプレッサＭＣが動作中であれば点灯し、遮断部ＲｙによりコンプレッサＭＣへの電力供給が遮断されているときは消灯している。
【００２６】
コンプレッサ間欠動作設定部６は、図１（ｂ）に示すように、スイッチで構成され、電力制御装置１によってコンプレッサＭＣに間欠動作を行わせる場合にはオン側に設定し、コンプレッサＭＣに間欠動作を行わせない場合にはオフ側に設定する。
【００２７】
コンプレッサ間欠動作表示部７は、赤色ＬＥＤで構成され、電力制御装置１によってコンプレッサＭＣが間欠動作を行っているときは点灯し、コンプレッサＭＣが間欠動作を行っていないときは消灯している。
【００２８】
また、中央演算部１２は、マイクロコンピュータ等で構成され、当該マイクロコンピュータに搭載された適宜のプログラムによって、遮断部Ｒｙが動作するタイミングを制御するタイミング制御手段１２ａと、コンプレッサ運転状態監視部である電流検出器Ｓｅの出力に基づいてコンプレッサＭＣがオン動作した後の経過時間ｔ４を計時する経過時間計時手段１２ｂと、タイミング制御手段１２ａが規定の遮断周期ｔ３で規定の遮断時間ｔ２だけ遮断部ＲｙによってコンプレッサＭＣへの電力供給を強制的に遮断するようにタイミング制御手段１２ａに指示する強制遮断指示手段１２ｃとが構成されている（図４参照）。ここで、強制遮断指示手段１２ｃは、コンプレッサＭＣがオン動作してから規定の遅延時間ｔ１を経過するまで遮断部Ｒｙが動作しないようにタイミング制御手段１２ａに指示する（図４参照）。
【００２９】
次に、実施形態の電力制御装置１の動作について、図３乃至図５に基づいて説明する。ここで、図３（ａ）、図４（ａ）および図５（ａ）は、冷凍機２内の温度変化を示し、図３（ｂ）は、温度制御部のみによって制御される場合のコンプレッサＭＣの動作、図３（ｃ）、図４（ｂ）および図５（ｂ）は、電力制御装置１のコンプレッサ制御部１１から遮断部Ｒｙの電磁部Ｒｙ２への電流の出力、図３（ｄ）、図４（ｃ）および図５（ｃ）は、電力制御装置１によって制御される場合のコンプレッサＭＣの動作を示す。
【００３０】
冷凍機２では、図３（ａ）に示すように、前記温度制御部の制御に基づいて冷凍機２内の温度が所定の温度範囲内となるようにコンプレッサＭＣをオン・オフ動作させている（図３（ｂ）参照）。ここで、冷凍機２は、冷凍機２の内部に設置された温度検出部で検出された温度が設定温度範囲の上限ＴＨに達するとコンプレッサＭＣをオン動作させる。一方、温度検出部で検出された温度が設定温度範囲の下限ＴＬに達するとコンプレッサＭＣをオフ動作させる。また、前記温度制御部の制御に基づいて冷凍機２のコンプレッサＭＣがオン動作してからオフ動作するまでの平均的な時間は、冷凍機２の種類によって異なる。
【００３１】
ところで、冷凍機２では、前記温度制御部の制御とは別に、実施形態の電力制御装置１の制御に基づいてコンプレッサＭＣを遮断周期ｔ３で間欠動作させている（図３（ｄ）参照）。ここにおいて、電力制御装置１のコンプレッサ制御部１１からは、遮断周期ｔ３で、遮断部Ｒｙの電磁部Ｒｙ２への電流の出力および電流の出力の停止が繰り返されている（図３（ｃ）参照）。そして、電力制御装置１のコンプレッサ制御部１１から遮断部Ｒｙの電磁部Ｒｙ２へ電流を出力すると遮断部Ｒｙのリレー接点Ｒｙ１が開状態になり、コンプレッサＭＣへの電力供給が遮断される。
【００３２】
また、冷凍機２では、図４（ｃ）に示すように、前記温度制御部によりコンプレッサＭＣがオン動作した後、遅延時間ｔ１だけコンプレッサ制御部１１から遮断部Ｒｙの電磁部Ｒｙ２への電流の出力を停止して、遮断部Ｒｙのリレー接点Ｒｙ１を開状態に維持してコンプレッサＭＣがオフ動作しないようにしている。しかして、コンプレッサＭＣがオン動作直後に停止するのを回避することにより、コンプレッサＭＣへの負担を低減するので、コンプレッサＭＣの短寿命化を抑制することができる。
【００３３】
また、冷凍機２の前記温度制御部によってコンプレッサＭＣをオン動作するタイミングにおいて、図５（ｂ）に示すように、電力制御装置１のコンプレッサ制御部１１から遮断部Ｒｙの電磁部Ｒｙ２へ電流が出力されている状態の場合がある。この場合は、図５（ｃ）に示すように、電力制御装置１の制御に基づく間欠動作を優先させて、遮断部Ｒｙのリレー接点Ｒｙ１を開状態に維持し、コンプレッサＭＣをオフ状態で維持する。
【００３４】
次に、実施形態の電力制御装置１の動作フローについて、図６に基づいて説明する。
【００３５】
電力制御装置１は、冷凍機２の使用者がコンプレッサ間欠動作設定部６を構成するスイッチをオフ側からオン側に切り替えると（ＳＴ０）、冷凍機２の前記温度制御部による制御および電力制御装置１による制御とは無関係に所定の待機時間ｔ０の間だけ遮断部Ｒｙの制御を行わない状態で待機する（ＳＴ１）。
【００３６】
また、経過時間計時手段１２ｂは、電流検出器Ｓｅの出力に基づいて、ステップＳＴ０の途中において前記温度制御部の制御によってコンプレッサＭＣがオン動作した後の経過時間ｔ４を計時している。ここで、待機時間ｔ０が経過した後において、経過時間ｔ４と遅延時間ｔ１とを比較して（ＳＴ２）、ｔ４＞ｔ１であれば、コンプレッサ制御部１１が遮断部Ｒｙのリレー接点Ｒｙ１を開状態にしてコンプレッサＭＣを停止する（ＳＴ４）。一方、ｔ４≦ｔ１であれば、遅延時間ｔ１の間だけ遮断部Ｒｙのリレー接点Ｒｙ１を閉状態で維持することにより、コンプレッサＭＣを動作状態で維持し（ＳＴ３）、その後、コンプレッサ制御部１１が遮断部Ｒｙのリレー接点Ｒｙ１を開状態にしてコンプレッサＭＣを停止させる（ＳＴ４）。
【００３７】
また、ステップＳＴ１でコンプレッサＭＣがオン動作しなかった場合、待機時間ｔ０経過後、コンプレッサＭＣのオン動作後の経過時間ｔ４と遅延時間ｔ１とを比較して、比較結果に応じてステップＳＴ３またはステップＳＴ４の動作を行う。
【００３８】
コンプレッサＭＣがオフ動作した後は、コンプレッサ制御部１１が遮断時間ｔ２の間だけ遮断部Ｒｙのリレー接点Ｒｙ１を開状態に維持することにより、コンプレッサＭＣを停止状態で維持する（ＳＴ５）。その後、コンプレッサ制御部１１が遮断部Ｒｙのリレー接点Ｒｙ１を閉状態にすることにより、コンプレッサＭＣをオン動作させる（ＳＴ６）。
【００３９】
コンプレッサＭＣのオン動作後、コンプレッサ制御部１１が所定の動作維持時間ｔ５（ｔ３−ｔ２）の間だけ遮断部Ｒｙのリレー接点Ｒｙ１を閉状態で維持することにより、コンプレッサＭＣを動作状態で維持する（ＳＴ７）。その後は、ステップＳＴ２からステップＳＴ７を繰返し行う。ここで、ステップＳＴ７の途中で、冷凍機２の前記温度制御部の制御に基づいてコンプレッサＭＣが停止するタイミングとなることがある。この場合、コンプレッサＭＣのオン動作後の経過時間（ステップＳＴ６後の経過時間）ｔ４と遅延時間ｔ１とを比較して、比較結果に応じてステップＳＴ３またはステップＳＴ４の動作を行う。
【００４０】
結局、実施形態の電力制御装置１は、コンプレッサＭＣを間欠動作させることにより、コンプレッサＭＣの動作時間を低減することができるので、コンプレッサＭＣの消費電力を低減することができるとともに、コンプレッサＭＣがオン動作した後は、タイミング制御手段１２ａによって少なくとも遅延時間ｔ１だけコンプレッサＭＣを動作した状態で維持するので、コンプレッサＭＣへの短時間内での繰り返し始動に伴う負担を軽減してコンプレッサＭＣの短寿命化を抑制することができる。
【００４１】
ところで、電力制御装置１には、上述の遮断周期ｔ３および遮断時間ｔ２それぞれを設定するために遮断周期設定部８および遮断時間設定部９が設けられている。また、遅延時間ｔ１を設定するための遅延時間設定部１０が設けられている。ここに、遮断周期ｔ３および遮断時間ｔ２それぞれを設定することで上述の動作維持時間ｔ５が決まる。
【００４２】
ここで、実施形態の電力制御装置１では、本体部１ａの一部を構成する遮断周期設定部８、遮断時間設定部９および遅延時間設定部１０は、いずれも可変抵抗からなるボリュームで構成されている。従って、遮断周期ｔ３、遮断時間ｔ２および遅延時間ｔ１それぞれの設定を各ボリュームの操作により簡単に行うことができる。
【００４３】
また、従来例では、遮断周期ｔ３をディップスイッチによって２段階にしか設定できなかったのに対して、実施形態では、遮断周期ｔ３を少なくとも３段階に設定することができ、省電力化の要請に沿うべく遮断周期ｔ３をきめ細かく設定することが可能となる。なお、実施形態の電力制御装置１では、遮断周期ｔ３のみならず、遮断時間ｔ２および遅延時間ｔ１の設定もボリュームの操作により行うことができるので、遮断時間ｔ２および遅延時間ｔ１の設定値を少なくとも３段階に設定することができる。
【００４４】
従って、実施形態の電力制御装置１では、内部の温度特性がそれぞれ異なる複数種類の冷凍機２、即ち、前記温度制御部による制御に基づいてコンプレッサＭＣがオン動作してからオフ動作するまでの平均的な時間が異なる複数種類の冷凍機２について遮断周期ｔ３をきめ細かく設定することができるので、より確実に省電力化を図ることができる。
【００４５】
また、実施形態の電力制御装置１では、遮断周期ｔ３、遮断時間ｔ２および遅延時間ｔ１の設定を電力制御装置１に設けられたボリュームにより行うことができる。従って、従来例のように、遮断周期ｔ３、遮断時間ｔ２および遅延時間ｔ１の設定を行うためのコンピュータ等の遠隔制御手段が不要となり、コスト低減を図ることができる。
【００４６】
なお、実施形態では、電力制御装置１が冷凍機２に使用される場合について説明したが、これに限定されるものではなく、例えば、蒸気圧縮式の空調機やその他コンプレッサを備えた電気機器に使用した場合でも同様の効果が得られる。ここで、電力制御装置１を空調機に使用した場合には、空調機の使用環境に応じて遮断周期ｔ３をきめ細かく設定することができるので、より確実に省電力化を図ることができる。
【図面の簡単な説明】
【００４７】
【図１】実施形態の電力制御装置を示し、（ａ）はブロック図、（ｂ）は概略正面図である。
【図２】同上の回路構成図である。
【図３】同上の動作説明図である。
【図４】同上の動作説明図である。
【図５】同上の動作説明図である。
【図６】同上の動作説明図である。
【符号の説明】
【００４８】
１  電力制御装置
６  コンプレッサ間欠動作設定部
８  遮断周期設定部
９  遮断時間設定部
１０  遅延時間設定部
１２ａ  タイミング制御手段
１２ｂ  経過時間計時手段
１２ｃ  強制遮断指示手段
Ｓｅ  電流検出器（コンプレッサ運転状態監視部）
Ｒｙ  遮断部
ＭＣ  コンプレッサ
【図１】
2010116867.tif 000003
【図２】
2010116867.tif 000004
【図３】
2010116867.tif 000005
【図４】
2010116867.tif 000006
【図５】
2010116867.tif 000007
【図６】
2010116867.tif 000008